【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
硬質フレーム内に画定された通路を通る流体の流れを生成するためのシステムであって、前記通路は上部及び下部を含み、前記システムは、
前記通路の中間点を横切って配置され、膜電極アレンジメントを含む、可撓膜と、
前記可撓膜内に波状運動を作り出し、これにより、前記通路を通る前記流体の蠕動運動を生じさせる様態で、前記可撓膜を選択的に作動させる作動システムと
を含み、前記作動システムは、
前記通路の前記上部に隣接して配置された上部電極アレンジメントと、
前記通路の前記下部に隣接して配置された下部電極アレンジメントと
を含み、
前記膜電極アレンジメントは、各々が中心部及び端部を有する複数の膜電極を含み、前記端部の幅は、前記中心部の幅の半分以下、例えば前記中心部の幅の４分の１未満であるか、又は、
前記上部電極アレンジメントは複数の上部電極を有し、前記下部電極アレンジメントは複数の下部電極を有し、前記複数の上部電極及び前記複数の下部電極は各々が中心部及び端部を有し、前記端部の幅は、前記中心部の幅の半分以下、例えば前記中心部の幅の４分の１未満である、
システム。
【請求項２】
硬質フレーム内に画定された通路を通る流体の流れを生成する方法であって、前記方法は、
作動システムを用いて、前記通路の中間点を横切って配置された可撓膜を、前記可撓膜内に波状運動を作り出し、これにより、前記通路を通る前記流体の蠕動運動を生じさせる様態で、選択的に作動させるステップ
を有し、前記作動システムは、
前記通路の上部に隣接して配置された上部電極アレンジメントと、
前記通路の下部に隣接して配置された下部電極アレンジメントと
を含み、
膜電極アレンジメントは、各々が中心部及び端部を有する複数の膜電極を含み、前記端部の幅は、前記中心部の幅の半分以下、例えば前記中心部の幅の４分の１未満であるか、又は、
前記上部電極アレンジメントは複数の上部電極を有し、前記下部電極アレンジメントは複数の下部電極を有し、前記複数の上部電極及び前記複数の下部電極は各々が中心部及び端部を有し、前記端部の幅は、前記中心部の幅の半分以下、例えば前記中心部の幅の４分の１未満であり、
前記方法は、選択的に電気接続するステップをさらに有する、
方法。
【請求項３】
前記可撓膜を選択的に作動させるステップは、前記可撓膜の部分を前記通路の長手方向中心軸と垂直な方向に運動させるステップを有する、請求項２に記載の方法。
【請求項４】
前記可撓膜は導電材料を含み、
前記可撓膜を選択的に作動させるステップは、静電気力を介して前記可撓膜の部分を前記通路の上部又は前記通路の下部のうちの一方に向かって引き寄せるステップを有する、
請求項２に記載の方法。
【請求項５】
前記作動システムは、前記通路の上部に隣接して配置されたいくつかの上部電極、前記通路の下部に隣接して配置されたいくつかの下部電極、及び前記可撓膜内又はその上に配置された単一の膜電極を含み、
前記可撓膜を選択的に作動させるステップは、
前記単一の膜電極を大地に電気接続し、
前記上部電極を正の電圧に選択的に電気接続し、
前記下部電極を負の電圧に選択的に電気接続する
ことによって、静電気力を介して前記可撓膜の部分を前記通路の前記上部又は前記通路の前記下部のどちらかに向かって引き寄せるステップを有する、
請求項２に記載の方法。
【請求項６】
前記作動システムは、前記通路の上部に隣接して配置されたいくつかの上部電極、前記通路の下部に隣接して配置されたいくつかの下部電極、及び前記可撓膜内又はその上に配置されたいくつかの膜電極を含み、
前記可撓膜を選択的に作動させるステップは、
前記いくつかの膜電極を正の電圧又は負の電圧のどちらかに選択的に電気接続し、
前記いくつかの上部電極のうちの少なくとも１つの上部電極を正の電圧に選択的に電気接続し、
前記いくつかの下部電極のうちの少なくとも１つの下部電極を負の電圧に選択的に電気接続する
ことによって、静電気力を介して前記可撓膜の部分を前記通路の前記上部又は前記通路の前記下部のどちらかに向かって引き寄せるステップを有する、
請求項２に記載の方法。
【請求項７】
前記作動システムは、前記通路の上部に隣接して配置された複数の上部電極、前記通路の下部に隣接して配置された複数の下部電極、及び前記可撓膜内又はその上に配置された単一の膜電極を含み、
前記可撓膜を選択的に作動させるステップは、
前記単一の膜電極を大地に電気接続し、
前記複数の上部電極のうちの少なくとも１つの上部電極を正の電圧に選択的に電気接続し、
前記複数の下部電極のうちの少なくとも１つの下部電極を負の電圧に選択的に電気接続する
ことによって、静電気力を介して前記可撓膜の部分を前記通路の前記上部又は前記通路の前記下部のどちらかに向かって引き寄せるステップを有する、
請求項２に記載の方法。
【請求項８】
前記可撓膜を選択的に作動させるステップは、
前記複数の上部電極のうちの少なくとも別の１つの上部電極を負の電圧に選択的に電気接続し、
前記複数の下部電極のうちの少なくとも別の１つの下部電極を正の電圧に選択的に電気接続する
ことをさらに有する、請求項７に記載の方法。
【請求項９】
前記作動システムは、前記通路の上部に隣接して配置された複数の上部電極、前記通路の下部に隣接して配置された複数の下部電極、及び前記可撓膜内又はその上に配置された単一の膜電極を含み、
前記可撓膜を選択的に作動させるステップは、
前記単一の膜電極を正の電圧又は負の電圧のどちらかに選択的に電気接続し、
前記複数の上部電極のうちの少なくとも１つの上部電極を正の電圧に選択的に電気接続し、
前記複数の下部電極のうちの少なくとも１つの下部電極を負の電圧に選択的に電気接続する
ことによって、静電気力を介して前記可撓膜の部分を前記通路の前記上部又は前記通路の前記下部のどちらかに向かって引き寄せるステップを有する、
請求項２に記載の方法。
【請求項１０】
前記可撓膜を選択的に作動させるステップは、
前記複数の上部電極のうちの少なくとも別の１つの上部電極を負の電圧に選択的に電気接続し、
前記複数の下部電極のうちの少なくとも別の１つの下部電極を正の電圧に選択的に電気接続する
ことをさらに有する、請求項９に記載の方法。
【請求項１１】
前記作動システムは、前記通路の上部に隣接して配置された単一の上部電極、前記通路の下部に隣接して配置された単一の下部電極、及び前記可撓膜内又はその上に配置された複数の膜電極を含み、
前記可撓膜を選択的に作動させるステップは、
前記複数の膜電極のうちの少なくとも１つの膜電極を正の電圧に選択的に電気接続し、
前記単一の上部電極を、正の電圧及び負の電圧からなる群から選択される一方に選択的に電気接続し、
前記単一の下部電極を前記群内の他方に選択的に電気接続する
ことによって、静電気力を介して前記可撓膜の部分を前記通路の前記上部又は前記通路の前記下部のどちらかに向かって引き寄せるステップを有する、
請求項２に記載の方法。
【請求項１２】
前記可撓膜を選択的に作動させるステップは、前記複数の膜電極のうちの別の膜電極を負の電圧に選択的に電気結合することをさらに有する、請求項１１に記載の方法。
【請求項１３】
前記作動システムは、前記通路の上部に隣接して配置されたいくつかの上部電極、前記通路の下部に隣接して配置されたいくつかの下部電極、及び前記可撓膜内又はその上に配置された単一の膜電極を含み、
前記可撓膜を選択的に作動させるステップは、
前記単一の膜電極を第１の電位に電気接続し、
前記上部電極又は前記下部電極のうちの少なくとも一方を前記第１の電位と異なる第２の電位に電気接続する
ことによって、静電気力を介して前記可撓膜の部分を前記通路の前記上部又は前記通路の前記下部のどちらかに向かって引き寄せるステップを有する、
請求項２に記載の方法。
【請求項１４】
前記作動システムは、前記通路の上部に隣接して配置された単一の上部電極、前記通路の下部に隣接して配置された単一の下部電極、及び前記可撓膜内又はその上に配置された複数の膜電極を含み、
前記可撓膜を選択的に作動させるステップは、
前記単一の上部電極を第１の電位に電気接続し、
前記単一の下部電極を前記第１の電位と異なる第２の電位に電気接続し、
前記複数の膜電極のうちの少なくとも１つの膜電極を前記第１の電位及び前記第２の電位のうちの少なくとも一方と異なる第３の電位に電気接続する
ことによって、静電気力を介して前記可撓膜の部分を前記通路の前記上部又は前記通路の前記下部のどちらかに向かって引き寄せるステップを有する、
請求項２に記載の方法。
【請求項１５】
前記可撓膜を選択的に作動させるステップは、前記複数の膜電極のうちの少なくとも１つの膜電極を前記第１の電位及び前記第２の電位のうちの少なくとも一方と異なる第４の電位に電気接続することをさらに有する、請求項１４に記載の方法。